(57)【特許請求の範囲】
【請求項１】
電線を接続する端子台と、前記端子台を取り付けた絶縁台と、前記端子台や前記絶縁台などを覆う絶縁カバー部と、コンデンサ本体と、前記コンデンサ本体の蓋部とが一体成形され、薄肉部分からなる連結部により連結されていることを特徴とするコンデンサ。
【発明の詳細な説明】
【０００１】
【発明の属する技術分野】
本発明は、モーター配電盤等に使用されるコンデンサに関するものである。
【０００２】
【従来の技術】
力率改善用として個々の負荷に接続されるコンデンサ、及び配電盤の内部に配置され電磁接触器等に接続されるコンデンサでは、外部からの引出用端子を用いて接続される場合が多く、これらの引出用端子との接続部を備えた端子台とその接続用の絶縁電線の導電部を覆う絶縁カバーを有した構造となっている。
【０００３】
図９は、従来の端子構造を備えたコンデンサを示す一部断面図である。図９で１９はコンデンサ本体部で、合成樹脂からなりコンデンサ素子を内部に収容し、充填用樹脂を注型硬化している。１２は端子台で帯状の導体からなり、その根元側はコンデンサ素子に接続され充填樹脂で固定されている。この端子台１２は斜め方向に設置され、その面には端子ねじ１３が螺合可能なねじ孔１４が形成されている。１５は絶縁電線でその端部に引出用端子としての圧着端子１６が取り付けられている。端子台１２は３相分設けられており、各端子台の両端及び相互間には絶縁用の隔壁を形成した絶縁台１８が設置され、コンデンサ本体１９の上部に設置されている。この端子台１２、端子ねじ１３及び圧着端子１６を含む充電部を覆う絶縁カバー１１が絶縁台１８に嵌合させるように装着されている。
【０００４】
【発明が解決しようとする課題】
コンデンサ等の電気機器に関しては、安全上の対策としてその導電部は通常の使用状態において、所定形状の試験指が触れないことが例えば「電気用品取締法関係法令集」に規定、記載されている。したがって、図９で端子台１２、端子ねじ１３及び圧着端子１６を含む導電部を覆う絶縁カバー１１の取り付けが必要となる。この絶縁カバー１１は実際に例えば樹脂成型品からなり、絶縁台１８に嵌合するように装着している。しかしながら、端子台１２に絶縁電線１５を接続するときは絶縁カバー１１を取り外す必要があるが、接続作業のあいだは取り外した絶縁カバー１１を作業の邪魔にならない所に置いておかなければならず、コンデンサ本体１９から離れてしまうため紛失したりする恐れがあり、前記の安全上の対策ができなくなるという問題の発生があった。本発明は以上のような問題を解決するためになされたものである。
【０００５】
【課題を解決するための手段】
この目的を達成するために、請求項１記載のコンデンサは、電線を接続する端子台と、前記端子台を取り付けた絶縁台と、前記端子台や前記絶縁台などを覆う絶縁カバー部と、コンデンサ本体と、前記コンデンサ本体の蓋部とを備え、前記絶縁カバー部と前記蓋部とが一体成形され、薄肉部分からなる連結部により連結されているものである。
【０００６】
【発明の実施の形態】
本発明の請求項１記載のコンデンサは、絶縁カバー部とコンデンサ本体の蓋部とが一体成形され、薄肉部分からなる連結部により連結されているもので、絶縁カバー部の開閉を行ってもコンデンサ本体から離れることがなく、コンデンサ製作上の作業性を向上でき、かつ使用する上において電線の接続作業性の向上も図れる。
【０００７】
（実施の形態１）
以下、本発明の実施の形態について図を参照しながら説明する。
【０００８】
図１は本発明の実施の形態１の絶縁カバーの斜視図である。絶縁カバー１は図３に示すコンデンサ本体部９に取り付ける蓋部２と絶縁台８を覆うカバー部３と、これらを接続する連結板４とからなっており、例えばナイロン、ポリプロピレンなどの樹脂成型品で一体成形されたものである。図２に示すように、蓋部２と連結板４との接続部５は薄肉部分となっており、成形加工時に同時に形成されており、図４に示すように、この部分を軸として回転しカバー部３が絶縁台８に脱着できる。この薄肉部分５はカバー部３を絶縁台に取り付ける際に、折り曲げが可能で、かつ破断しない厚みを有しており、カバーの繰り返しの開閉、脱着を可能としている。また、カバー部３の連結板４が取付られた側と反対側には、絶縁電線の導出が可能な開口部が形成されており、さらに絶縁電線の露出部を覆うためＵ字状のバリヤが設けられている。蓋部２とカバー部３の連結は、カバー部３を絶縁台８に取り付けたとき、絶縁電線の導出方向と反対方向にすることで、絶縁電線を端子台に接続する作業の邪魔にならない方向としている。
【０００９】
まれに配電盤の内部に配置され電磁接触器等に接続されるコンデンサにおいては機器全体の絶縁カバーが取り付けられることもあり、この場合においては個々の機器の絶縁カバーが不要となる場合がある。このときは、蓋部２と連結板４との接続部５の薄肉部分を切断することにより、カバー部３を容易に取り外すことができる。
【００１０】
（実施の形態２）
図５は本発明の実施の形態２の絶縁カバーの斜視図である。絶縁カバー１はコンデンサ本体部９に取り付ける蓋部２と、絶縁台８を覆うカバー部３とで構成されるがそれぞれ樹脂成形品の独立した部品となっている。蓋部２の先端にはカバーを取り付けるための係止部６が形成されている。カバー部３の一方の先には蓋部２に設けられた係止部６に嵌合する係合部７が設けられている。図６（ａ），（ｂ）に示すように、係止部６は凹部６Ａが形成されており、係合部７の先端部は円筒形部分７Ａを有した口状になっており、この７Ａ部を前記係止部６の凹部６Ａに圧入等により係止する。係止部６の凹部６Ａの開口部分は凹部中央部より少し狭く、かつ係合部７の円筒形部分７Ａの径よりも少し小さくなっており、カバー部３が蓋部２から容易に離脱しない寸法に設定されている。７Ａ部の円筒形部の径は凹部６Ａの中央部の径と同一または僅かに小さくなっており、装着した後、カバーが７Ａ部を軸として回転でき、カバー部が絶縁台に脱着できるのである。また、実施例１の場合と同様に配電盤の内部に設置され、機器全体のカバーが取り付けられることで個々の機器のカバーが不要な場合には、係止部６と係合部７の嵌合部を取り外すことで容易に対応できる。
【００１１】
図７は本実施の形態２の絶縁カバーの係合部の他の形状を示すものである。係止部６は凹部６Ａ、６Ｂで形成されており、係合部７の先端部は円筒形部分７Ａを有したＴ字形となっており、この７Ａ部を前記凹部６Ａ，６Ｂに嵌合するものである。
【００１２】
また、図８（ａ）に示すように係止部６の凹部６Ａの位置は、実施の形態２では蓋部２に対して垂直方向にある場合について示したが、水平方向（図８（ｂ）の６Ｂ）でも斜め方向（図８（ｃ））の６Ｃ）でも円筒形部分７Ａが嵌合できる位置であれば良い。
【００１３】
なお、以上の実施の形態では蓋部に係止部、カバー部に係合部を形成した場合について述べたが、蓋部に係合部、カバー部に係止部を設けた場合も同様の構成が可能である。
【００１４】
【発明の効果】
以上のように、請求項１のコンデンサでは、電線を端子台に接続する作業時に絶縁カバー部を外しても、コンデンサ本体から離れることがないため、紛失する恐れをなくすことができる。また、絶縁カバー部と絶縁台との開閉がスムーズに行えるだけでなく、絶縁カバー部の脱着が容易に行えることで、コンデンサの製作工程において、絶縁カバー部が製作上邪魔になる場合において有利になるとともに、部品点数の削減にもなり製作コストの低減を図ることができるという効果が得られる。
【図面の簡単な説明】
【図１】  本発明の実施の形態１における絶縁カバーを示す斜視図
【図２】  同実施の形態１における絶縁カバーを示す側面図
【図３】  同実施の形態１における絶縁カバーを開けた状態を示す側面図
【図４】  同実施の形態１における絶縁カバーを取り付けた状態を示す側面図
【図５】  同実施の形態２における絶縁カバーを示す斜視図
【図６】  （ａ）同実施の形態２における絶縁カバーの係止部を示す側面図
（ｂ）同実施の形態２における絶縁カバーの第１の係合部を示す側面図
【図７】  同実施の形態２における絶縁カバーの係合部の他の形状を示す斜視図
【図８】  （ａ）同実施の形態２における絶縁カバーの第２の係合部を示す側面図
（ｂ）同実施の形態２における絶縁カバーの第３の係合部を示す側面図
（ｃ）同実施の形態２における絶縁カバーの第４の係合部を示す側面図
【図９】  従来の絶縁カバーの構造を示す一部断面図
【符号の説明】
１  絶縁カバー
２  蓋部
３  カバー部
４  連結板
５  接続部（薄肉部）
６  係止部
７  係合部
８  絶縁台
９  コンデンサ本体部
【図１】
0003791168.tif 000002
【図２】
0003791168.tif 000003
【図３】
0003791168.tif 000004
【図４】
0003791168.tif 000005
【図５】
0003791168.tif 000006
【図６】
0003791168.tif 000007
【図７】
0003791168.tif 000008
【図８】
0003791168.tif 000009
【図９】
0003791168.tif 000010